(57)【要約】【目的】  当考案は老人介護の現場以外に航空宇宙・軍事・警察・消防等々の非常時の現場や日常生活をいとなむ市民の間でもっぱらに使用されることを考慮している。また革新的な排便排尿形態への移行を促すことにより、ズリ下ろされたズボン又はパンツが便器の前端や床に接触して汚れることが無くなり、小便の飛沫が床や便器や自己のズボンを汚すことが無くなる生活を実現させる。【構成】  半身を包みこむ身頃から突出したタブ部などが対向する太股周辺に沿って臀部までをも包みこむ形式の身頃地に、それと全く左右対称の身頃がシンメトリーな向かい方で、やはり対向方向へ突出したタブ部などが対向側の太股や臀部を覆う身頃へさらに覆い被るように左右の身頃が複雑に絡み合った三次曲面的な重合部を構成して一体化され、しかもその部分を捩分け捲って開口可能とさせる下半身用の下着。【選択図】  図３
0003118992.tif 000002
【実用新案登録請求の範囲】
【請求項１】
脚腰と腹部と臀部の半身を覆う身頃から対向側の半身へ突出するタブ部などが対向側の太股周辺に沿って、三次曲面的な辺と面を成しながらその臀部をも包みこむ形式の身頃に、やはりそれらと左右対称で鏡像的な対向側の身頃の辺面がシンメトリーな向かい方で相互にその変形辺面部を内側と外側で重ね、その内側となる辺面にあっては谷形部あるいは凹部及びそのタブ部、その外側となる辺面にあっては山形部あるいは凸部及びそのタブ部等々を互いに入り組ませてＵ字形、あるいは逆Ｖ字形に重なり合わされて、皺噛みや摩擦などによって妙に一体化してしまう構造の下着。しかもその部分を捩じ分け捲って開口させることが出来る形式の下半身用の下着全般、および靴下一体式下着。
【考案の詳細な説明】
【考案の詳細な説明】
【技術分野】
【０００１】  当考案は航空宇宙・軍事・警察消防・等々の非常時用衣服から建設作業・民生・医療・老人介護・障害者用衣服にいたる広範囲のズボン又はパンツ用の革新的な排便排尿方式を提案し、それらを可能とさせる下半身用下着に関する。
【背景技術】
【０００２】  古くから考案されてきた股間全開式下着、あるいは、つい最近になってから考案された股間全開式下着、例えば特開平８−３５１０２あるいは、特開２０００−３０３２０３あるいは、特開２００１−２７１２０９などの多くは老人介護の現場や身体障害者のもとで愛用または一時愛用、または考案・開発されたまま一般用に市販されない為なのか、ほとんど見聞することがない。普及愛用されない要因を推測すれば、股間の布地の折れ乱れや割れ乱れなどの不具合、股間開口部の形態や重なり方がふんどし様であったため装着時の違和感や股擦れ・ゆるみ・縮み・密封保温性の悪さ等々が原因したと思われる。
【考案が解決しようとする課題】
【０００３】  今日までに考案・開発され、又はされようとしてきた股間全開式下着の多くは股間の間に幅１０ｃｍほどの開け口専用の布地を内と外に一本ずつ、合わせて２本の布地を前後左右の身頃生地に取り付けただけの形態となるか又は２ｃｍから１０ｃｍ幅ほどの布しろを拡幅して開け口としただけのものであった為、あぐら座りや立て膝をついた姿勢をとったりすれば股間が割れて開いてしまうことが有った。開け口とされる布地幅を１０ｃｍほどにすればそのようなことを最小限に抑えることが出来るが騎馬や自転車に乗るときのような一連の動作をすれば、やはり股間が割れて開いてしまう。一度開いた開け口、または半開口となった開け口は自然の状態では元に戻ることが出来にくく対向側の開け口と押し合う格好となって蛇腹状の折れ皺が出来て互いに重ならなくなり折れ乱れとなってしまう。１０ｃｍほどもあった布幅も折れ皺が複数箇所に出来るために５〜６ｃｍほどの幅に狭まってしまい、洗濯時の縮み等にもより、終いには股間が割れたままの状態となってしまう。
【０００４】また開け口となる幅広の二枚重ねの布地は赤子のおしめの様でもあり、通常歩行に耐えられない形状となるため股擦れを発症させてしまう。腹部下腹部・陰部・股間部・尾骨部・腰部等々へ当てがう布地は各所ごとに違った形態であるべきかと思う。男性の下半身用下着においてはブリーフやズボン下の様な前部が偏平となるものもあるがトランクスのようにペニスの当たる部分が左右へ御するためなのか、その部分だけに縦の縫い目が施されたものもある。それらは使用者の好みで選ばれるが股割れを防ぐためだけに１０ｃｍほどに拡幅された偏平な布地の状態は和服の襟地のようでもあり、装着感を損なう。下半身への違和感は温度変化として伝わっても来る。人体への温度感覚は胸や腹などよりも背中や背腰の部分の暖まりが肝要とされる。従来の股間全開式下着の構造は背腰を厚く覆うという観念にも欠ける。
【０００５】今日までに考案・開発され、又はされようとしてきた股間全開式下着の多くのものは密封保温性を考慮することなく生み出されたかのようだ。作りやすさやコスト等々の生産性を上げる為の工夫をするのは良いことであるが製造されたものが心地のよいものとして普及愛用されなければ意味が無い。
【０００６】それらに密封保温性を保持させようとする場合ではファスナーやマジックテープやホック釦などでその全開となる部分を閉じる方法がオプションとして講じられてはいるが作りやすさやコスト等々の生産性を上げる為なのか、斜視図等を見るかぎりではそれらの閉鎖機能が無いものとして描かれている。些細事ではあるが幅１０ｃｍほどの開け口専用の布地か又はその布しろが身体の中央部でピタリと重なる場合はその中央部だけに体温が集中してしまい左右の臀部などが冷える状態となってしまう。冬の厚着期間中ではそれを感じぬが薄着となる夏では肌着の長短や厚薄や有り無しが身肌に感じるほどの違いとなる。その問題となる部分が折れ乱れ、割れ乱れるでもなく隙間が開いてしまうならば下半身全体の体温低下を来すことになる。薄着が適切となる夏期の就寝時においてはそれら股間全開式下着の形状は不健康の元凶となる。
【０００７】ファスナーやマジックテープやホック釦などでその全開となる部分を閉じる方法を講じた場合の不都合はやはり二枚の布面とは異なる異物感を尾底骨部や陰部へ感じてしまうことが第一に上げられる。ファスナーの場合は故障時においての不作動や、まれには陰毛噛みや肉噛みなども起こすので肌着には不適切となる。マジックテープにおいてはその厚み、幅などの要素がファスナー以上となるため、やはり異物的な感触となる。またテープの合わせ目も見えにくいため合わせにくく、斜めに合ったり、前後左右に微妙にずれたり、合わせムラが出来たために偏な皺が生地におよんでしまうなどの不具合が発生する。古くなれば接着力も衰える。また、トイレの中でベリベリとした音を立てるのが厭という御仁もいる。ホック釦ではその係止具を大きな股間全開式下着の開け口の適所へ設けなければならず、少なくとも６〜７箇のホック釦が必要となる。その一つひとつをパチ、パチ、と合わせるのも厄介となり、釦口の開いた部分や皿裏が尾底骨部や陰部へ並んでしまうのも違和感や着心地などへの影響をおよぼす。
【０００８】股間全開式下着の多くは前後左右の身頃および開け口となる繊維を伸縮性のある布地で構成してそれらの繊維の収縮力を利用して股間の密封性を保持させようとする記述も特開平８−３５１０２あるいは、特開２００１−２７１２０９などで覧られた。特開２０００−３０３２０３ではメリヤス編み機で筒編する記述があった。しかし股間部を締め付けないトランクス派や素木綿派においてはそのような下半身用下着は窮屈であり、着用感が悪いために至極嫌う。たとえＴシャツ地のような伸縮性のある生地を使用して前後左右の身頃および開け口を構成しても永年の径年変化でゆるんでしまう。ふんどしであれば緩んでも締め直すことが出来るが製品化された下着ではそれが不可能となる。永年の着用や洗濯乾燥機等の外力によってもそれらの伸縮性を利用した閉鎖機能は変化してしまう。股間全開式下着の構成は伸縮性の生地以外の素材でも形作られなければならず、またトランクスのようなゆったりとした仕立てとなっても股間部の密着性が保持される形態とならねばならぬ。
【考案の目的】
【０００９】  当「股間捩分け開口形式の下着」の考案目的は老人介護の現場や身体障害者のもとで使用される以外に航空宇宙・軍事・警察・消防・建設・民生・医療等々の現場や非常時下の現場または日常生活をいとなむ市民の間でもっぱらに使用されることを重点的に考慮している。騎馬や自転車にまたがり乗るような健常者が使用して心地のよいものは一部の要介護者やごく一部の障害者にとっても心地のよいものとなる。また［００２６−考案の効果］で記述した革新的な排便排尿形態への移行を担う目的も負っている。
【課題を解決するための手段】
【００１０】  折れ乱れや割れ乱れが少なくファスナーやマジックテープに頼らずに密封保温性が保たれ、股間部を締め付けることなく股間全開式下着の機能を正しく発揮させる新たな形式は図１・図２そして図７などに示した「股間捩分け開口形式の下着」の形状が最適と判断した。
【００１１】当考案の「股間捩分け開口形式の下着」は右脚腰の半身を包みこむ右身頃１１から左内股へ拡張されたタブ部等を左太股周辺に巻きこませて左臀部をも包みこむ形式の身頃地に、それと左右対称で鏡像的となる左身頃２１等々がシンメトリな向かい方で右身頃の股間部下方から覆い被って左身頃から右内股方向へ拡張されたタブ部等が右太股を覆う布地へさらに覆い被り右臀部を覆う布地の上をもさらに包みこむように左右の身頃の股間部・臀部などがＵ字形・逆Ｖ字形に絡み合った重合部を構成して一体化される構造となる。
【００１２】図１で見るとタブ付き左股下身頃２２のタブ部が股間で宙ぶらの格好となるがその上からズボン又はパンツを上着として着用すれば宙ぶらとなる部分の密着性が保たれ、タブ付き右股下身頃１２とは内側と外側の違いとなるのだが、左太股と右太股の温度分布は同じとなる。図２でみられる左後外身頃２３も宙ぶらの感じとなるが、立体縫い糸線８３によって臀部の丸みへ密着する形状となるので布地間の摩擦等により圧着されて保温性が保たれる。
【００１３】排尿排便時では［００１７−作用］で記述したような三段階の開口が可能となるが図３で図示したような左右の身頃地等が奥深い位置から複雑に絡み合ってはいるが生地の伸縮性ゆえに特大な開口部９２を得ることが出来る。その状態に到ってタブ付き右股下身頃１２とタブ付き左股下身頃２２とが左右の股間から分離される。そして、それらの分離を元の状態に戻す時には和服の襟地を体内へたくし込む要領で取り込み馴染ませる。
【００１４】図５の一点鎖線で描かれた布形は通常のズボン下のものだが実線で描かれた「股間捩分け開口形式の下着」の布形である左身頃２１は股間部や太股を締め付けないゆったりとした身幅となっている。その為に合わせ直しが楽に出来る。そのゆったりとした身幅の作りが左右のタブ付き股下身頃と同等なほどの役割を担う。股間の部分が従来のタイツのようにピッタリとしたズボン下であれば合わせ直しが厄介になり、騎馬や自転車にまたがる動作をすれば股下の布地は引きつられて伸びきってしまい、股を閉じた時には折れ乱れた皺となってしまう。折れ乱れて皺となった左右のタブ部を地球の引力のままに降ろすためには股間部周辺の空間が必要になる。その為、その上部へタック切りこみ８４を設定してゆったりとした空間を保たせている。そのことは股間開口時の生地に無理が懸からぬようにも配慮する為、また大股開きの姿勢となっても股間開口部間への緊張を少なくさせる配慮も合わせ持たせている。
【００１５】右身頃１１と左身頃２１の重合する股間部は、図８のトランクスの前身頃のように股間部の前面が切り込まれた形となる。その左右の前身頃の前面が逆Ｖ字の谷形や山形となることが従来の股間全開式下着では見られなかった「股間捩分け開口形式の下着」の特徴となり、重要な働きをする。その逆Ｖ字形となる股間部の各々の身頃を互いに重合させ、噛み合わせることにより、布地同士をロッキングさせたかのような結束感を保たせることが出来る。逆Ｖ字の角度がより鋭角となり、タブ部が長めになれば成るほどに結束感は強まる。そして股間部の空間が適度に空いて保たれるほど左右のタブ部は折れ乱れが減少して下方へ降り、その為なお一層の結束感が増し、割離限界が高まる。図７右惻のブリーフの場合は同じく「股間捩分け開口形式の下着」となるが上記のズボン下とは構成や機能が異なるために逆Ｖ字の切れ込みや股間部間の隙間がまったく無いタイトな作りとなる布形に描いている。ブリーフあるいはパンティの場合は太股やふくらはぎにおよんでいる布地のつっ張りによる影響が股間生地へ及ばないため、ズボン下形の股間全開式下着ほどの不具合が発生しない。そのため通常のブリーフの中央部分を重合させただけの構造に描いてはいるが、小形タブ９５を取り付けた。その部分は無くてもよい部分かもしれぬが、手繰り子としての機能をもたせるために付けた。ブリーフではタブが無くても股間部の凸門部となる小さな膨らみ、その他で充分な密着感が得られる。
【００１６】「股間捩分け開口形式の下着」は体軸となる部分で下着を二枚着用したような感覚となるが第二次大戦下のドイツ国防軍では冬期用のアンダーシャツや靴下やズボン下が支給されてもブリーフ・トランクスの類は支給されず、その事態は上級下士官であっても同じであった。と、いうことはドイツではズボン下を着用するときには平常時であってもブリーフ・トランクス類を着用しないのかも知れぬ。故に股間開口時に繁雑となる下着の下の下着は無くてもよく「股間捩分け開口形式の下着」はブリーフ・トランクス類を省略することで快適となる。夏期においての股間捩分け開口形式のブリーフ・トランクスであれば二枚重ねとなる部分が股間の汗の吸収と発散を容易にしてくれる。
【作用】
【００１７】  当考案の「股間捩分け開口形式の下着」は三段階の股間の開口が可能で第一段階での開口は通常の立ち小便位での股間前方のみの開口が可能となる。第二段階の開口は着座位では苦しかった男子の下着を着用したままの小便が股間部下を交差している布地を捩じ分け開けるだけで可能となる。第三段階の開口は股間部下へ開いた開口部の交差をさらに臀部の四半球部へ捩じ分け捲る動作を行うことにより排便することが可能となる。
【００１８】それらの行為を行うためには特開２００２−１０５７１７で開示された股間の開閉を後部ベルト位置までファスナーで行えるズボン又はパンツの同時実用化が望まれる。ズボン又はパンツは下半身用の上着となるので美しくなければならず、開口部は二本筋の丘か布蓋となるファスナー式の開口部を持つものが理想的となる。そのズボン又はパンツに開口部を下着もろともに保持するフック状の鉤がアクセサリーとして付属すればズボン又はパンツとともに下着を脱がずに着座したまま、あるいはしゃがんだままの排便や排尿が、より行い易くなる。
【考案を実施するための最良の形態】
【００１９】  当考案の実施例はズボン下形のものとトランクス形のものとブリーフ形のものとの三例がある。まず図１に代表されるズボン下形の「股間捩分け開口形式の下着」の仕立てを主にして説明をすると、図１・図２の如くに右身頃１１とタブ付き右股下身頃１２と右後内身頃１３の各部を左身頃２１とタブ付き左股下身頃２２と左後外身頃２３の各部がそれらを飲み込んだ形態となってゴム線収縮部９１の部分とその他の部分８１と８２の各々の縫糸線で縫着され一着化される。（上に書き並べた右側の身頃と左側の身頃を左右ごとに纏めて一体化させた立体物を以下では右巾、そして左巾と呼ぶことにする。右巾と左巾のズボン下形の下着の裾口には各々に伸縮帯２４が縫着される。）前面左右身頃縫着糸線８１と後面左右身頃縫着糸線８２は洗濯機内の水流や水切りに抗して破損分裂を防ぐために開口部を低めに出来る前面側では下方へ長めになるよう設定し、後面側ではブルージーンズふうの幅広の縫着糸線としてデザイン設定した。それらは図７の前面図を割愛したトランクスや後面図を割愛したブリーフへも類似した形状で縫込み設定される。またそれらの縫着糸線の部分へは補強布地を加えてもよく、糸目を多くするのもよい。【００２０】図５は寸法や縫しろその他が省略されて描かれたズボン下形式の下着の左方だけの布形図となる。右方の布形図も寸分の狂いの無い同形同寸法の鏡像図となる。そのことは図７・図８に描かれたトランクス及びブリーフの布形図でも一部分を除いて同様となる。図５の左上の左後外身頃２３は左身頃２１の布地から採り切れない心配があるために図中では分離させた。左後外身頃２３の右側の花弁状の切れ目は立体縫をして臀部の湾曲へ密着させたい為の切れ目となる。それと同様の切れ目は図８と図９の中の各図の右側に描かれた身頃の右部分へも施してあって同じ役割をする。【００２１】図５左下の奇妙な形のものは股間捩分け開口形式の下着」の眼目ともなる左身側のタブ付き左股下身頃２２の布形となる。タブの部分は右身側の太股の付け根へ貼りつくような曲面と成るための切り込みが入れられている。山折り線９４の如くに軽く折ってタブ以外の各辺を左身頃２１と左後外身頃２３へ縫い付けるとタブ部で最大に尖ったａ辺が動物の角のように上向く。その部分を右身側へ曲げると左身頃のｂ辺へピタリとａ辺が合う状態となって縫い合わされる。左巾となる各々の身頃の縫い合わせ概念図は図６の如くになる。左右対称形となる右巾も同様の縫い合わせに仕立てて左巾の内側へ捩じ入れて左右の各々のタブ付き股下身頃の逆Ｖ字となる部分を重合させ、ゴム線収縮部９１及び前後左右の身頃の縫着糸線８１と８２で縫着して一着化させる。【００２２】図４はタブ定位置と運動姿勢変化図となるが左側の図は直立しているときのタブの位置が２０°の角度で斜め下向きとなっていることを示すものと太股が高く上がったときのタブ位置を示す。右側の図は椅子などに着座したときのタブ位置となる。左右の図は太股の運動や姿勢の変化によってタブの位置が尻下に残って違和感や着座感を損ねぬよう太股に追従する形態で添い従うことを示す。図５左下のタブ付き左股下身頃２２の独特の形状はタブが斜め下向きの角度で仕上がる為のもので、しかも人��の左右の座骨部の真下となる部分の布地の面積を小さくして折れ乱れの発生が少なくなる計らいをしている。左右の股下身頃のタブ部は左右の太股の内側前面に軽く乗るような曲面形状となり、摩擦も保たれる為、図４の各図のタブ位置の如くに折れ乱れの少ないまま太股の動きに添い従う事となる。ズボン下形式の「股間捩分け開口形式の下着」に限っては左右のタブ面か、又は縁の部分へは硬めで重めの素材を縫い足すことでも良い結果が得られると思う。
【実施例】
【００２３】  図７はトランクス形（左側）とブリーフ形（右側）の「股間捩分け開口形式の下着」の後面図と前面図となる。各々の前面図と後面図は繁雑となる為に割愛したがそれらの図はズボン下形やブリーフ形の前面図、あるいはズボン下形やトランクス形の後面図に類似した形態となる。それらの割愛した前面図と後面図は図８および図９の各々に左巾となる布形図の前面と後面の部分の曲線を見てイメージされたい。図８・図９中の細斜線部と斜線部と縦線部は太い矢印線で連結されたそれらと同じ形式の斜線の部分へ縫着されることを示す。トランクスの右巾とブリーフの一部分を除く右巾の部分も左右対称形の鏡像的な寸法で裁断、縫着されて、左巾に飲み込まれる状態で股間部が重合され、ゴム線収縮部９１と前面と後面の左右身頃縫着糸線８１と８２によって合体一着化される。【００２４】  トランクス形の「股間捩分け開口形式の下着」はブリーフと類似して太股やふくらはぎに及んでいる布地のつっ張りが股間の布地へ緊張を伝え難いためズボン下形のタブよりも短めとなって左用股下身頃２７と収縮部付き左後身頃２６と一体化される幅広のタブ部となっている。が、右巾の裾口の折り返しの線よりも少し上へ位置するようになっており、重合部のだぶつき感や裾口の違和感を減殺する工夫をしている。そのことは左巾の内側へ入り込んでいる幅広のタブ部も同様の短さで位置することになっている。左用股下身頃２７は四辺形の布形となっているが前端部は逆Ｖ字に折った状態となり、後端部になるほど横一文字の状態となって収縮部付き左後身頃２６へ縫着される。その身頃は伸ばされた平ゴム等が縫着されて縮められる為、右端が少々末広がりとなる形状に描がれて左用股下身頃２７に縫着される部分の辺が斜めに傾いているが立体縫い糸線８３とゴム部の収縮によって、ほぼ横一文字に保たれて縫着される。なぜトランクスに限ってゴム部が必要かといえば通常のトランクスでは伸縮性の生地を使わない為、ゴムの収縮部が必要となる。また当考案のトランクスでは仕上がりサイズがタイトとならないような配慮も必要で、仕上がりサイズをルーズな設定にすればゴム部は不要となるか、又はその両方の処置が必要となる。【００２５】ブリーフ形の「股間捩分け開口形式の下着」は左巾側の股下の布幅が右巾側のものよりも全幅にして２０ｍｍほど狭く仕上がるような布形図を描くこととし、右巾と左右対称で同寸法となる左巾の他の部分へ自然なラインで繋がる左前身頃２８と左後身頃２９の布形を作ることとする。そのような形態をとることにより、二枚重ねとなって強調される股間布地縁による食い込みや股擦れの防止をするとともに折り返し縫い部、あるいは三つ巻き縫い部が重なり合って違和感やだぶつき感等とならぬような配慮をする。また立体縫い糸線８３へと続いていく曲線の左右の後身頃の折り返し縫い部等も右巾と左巾の裾口となる折り返し縫い部等へは重ねぬよう、図７中の右後身頃１９の如くに裾口から１５ｍｍほどの間隔が開くようなカットにする。そしてもっと斬新なデザインをするならば左前身頃２８の裾口の曲線を右前身頃１８とは少し違った曲線に切ってしまい右巾のタブ部がもう少し覗き見えるラインに切り取ってしまう。そうなれば右巾のタブ部の露出��多くなり、造形的なバランスがとれる。あるいは右巾のタブ部を省略してタブは左巾側だけとしてもよい。
【考案の効果】
【００２６】  当考案は服装史を一歩前進させ、男子の立ち小便文化や朝顔便器のある便所の在り方までをも変革する小さな改革品となるよう思いを込めた。民生品に関しては当考案の「股間捩分け開口形式の下着」の流行によって男性も女性もズボン又はパンツを穿いたまま便器に腰掛けて排尿排便が出来るようになり、そのような排尿排便習慣への移行により、ズリ下ろされたズボン又はパンツが便器の前端や床に接触あるいは脱落して汚れることが無くなり、小便の飛沫が便器や床あるいは自己のズボン又はパンツを汚すことが無くなる。非常時の現場として落下傘降下部隊での制式採用があれば、パラトルーパー等の愛称で男達が恥じらいなく着用する。
【図面の簡単な説明】
【００２７】
【図１】  股間捩分け開口形式の下着の前面図である。
【図２】  股間捩分け開口形式の下着の後面図である。
【図３】  股間捩分け開口形式の下着の後面開口図である。
【図４】  タブ定位置と運動姿勢変化図である。
【図５】  ズボン下形下着の布形図である。
【図６】  ズボン下形下着の縫い合わせ概念図である。
【図７】  トランクス後面図とブリーフ前面図である。
【図８】  トランクスの布形図である。
【図９】  ブリーフの布形図である。
【符号の説明】
【００２８】  １１  右身傾
１２  タブ付き右股下身頃
１３  右後内身頃
１６  収縮部付き右後身頃
１８  右前身頃
１９  右後身頃
２１  左身頃
２２  タブ付き左股下身頃
２３  左後外身頃
２４  伸縮帯
２５  左前身頃
２６  収縮部付き左後身頃
２７  左用股下身頃
２８  左前身頃
２９  左後身頃
８１  前面左右身頃縫着糸線
８２  後面左右身頃縫着糸線
８３  立体縫い糸線
８４  タック切りこみ
８５  収縮部
９１  ゴム線収縮部
９２  開口部
９３  通常のズボン下左身頃布形
９４  山折り線
９５  小形タブ
ａ  タブ角部の斜線部
ｂ  左身頃端の斜線部
ｆ  前面
【図１】
0003118992.tif 000003
【図２】
0003118992.tif 000004
【図３】
0003118992.tif 000005
【図４】
0003118992.tif 000006
【図５】
0003118992.tif 000007
【図６】
0003118992.tif 000008
【図７】
0003118992.tif 000009
【図８】
0003118992.tif 000010
【図９】
0003118992.tif 000011
【手続補正書】
【提出日】平成17年11月10日(2005.11.10)
【手続補正３】
【補正対象書類名】実用新案登録請求の範囲
【補正対象項目名】全文
【補正方法】変更
【補正の内容】
【実用新案登録請求の範囲】
【請求項１】
下半身の片側を覆う身頃体から対半身側の下腹部脇や股間脇や内太股や臀部へ三次曲面を成して拡張される耳形に似た耳様タブ部等に、やはりそれらと準鏡像的な形態となって位置する耳様タブ部等を具有する身頃体とが相互に相対する方向から、その双方の耳様タブ部等を主体とした変形辺面部を外側と内側の裏腹にて鉤様に親密に噛み合わせた所の重合部が非縫止であるにもかかわらず、その双方の身頃体が妙に一体化されてしまう三次曲面重合構造の股間部となった下半身用下着。
【請求項２】
背腰の片側から花弁様に形作られた身頃面辺が対半身側の脇腹近辺にその身頃面辺を行き届かせて留まる形式であり、相対する身頃面辺もそれと準鏡像的な形態となって、その逆方向へ交互して留まる形式である為、その直下の臀部の大部分が、その双方の花弁様の身頃面辺により、親密に重複されて覆われる構造となった請求項１記載の下半身用下着。
【手続補正４】
【補正対象書類名】明細書
【補正対象項目名】全文
【補正方法】変更
【補正の内容】
【考案の詳細な説明】
【技術分野】
【０００１】本考案は航空宇宙・軍事・警察・消防・山岳救助・等々の非常時用衣服から建設作業・冬季スポーツ・医療・老人介護・障害者用衣服にいたる広範囲のズボン又はパンツ用の革新的な排便排尿方式を提案し、それらを可能とさせる下半身用下着に関する。
【背景技術】
【０００２】明治時代の古くから考案されてきた股間全開式下着、あるいは、つい最近になってから考案された股間全開式下着、例えば［特開平８−３５１０２］あるいは、［特開２０００−３０３２０３］あるいは、［特開２００１−２７１２０９］などの多くは老人介護の現場や身体障害者のもとで愛用または一時愛用、または考案・開発されたまま一般用に市販されない為なのか、ほとんど見聞することがない。普及愛用されない要因を推測すれば、股間の布地の折れ乱れや割れ乱れなどの不具合、股間開口部の形態や重なり方が単純であったため装着時の違和感や股擦れ・ゆるみ・縮み・密封保温性の悪さ等々が原因したと思われる。
【考案の開示】
【考案が解決しようとする課題】
【０００３】  今日までに考案・開発され、又はされようとしてきた股間全開式下着の多くは股間の間に幅１０ｃｍほどの開け口専用の布地を内と外に一条ずつ、合わせて２条の布地を前後左右の身頃生地に取り付けただけの形態となるか又は２ｃｍから１０ｃｍ幅ほどの布しろを拡幅して開け口としただけのものであった為、あぐら座りや立て膝をついた姿勢をとったりすれば股間が割れて開いてしまうことが有った。開け口とされる布地幅を１０ｃｍほどにすればそのようなことを最小限に抑えることが出来るが騎馬や自転車に乗るときのような一連の動作をすれば、やはり股間が割れて開いてしまう。一度開いた開け口や半開口となった開け口は自然の状態では元に戻ることが出来にくく対向側の開け口と押し合う格好となって蛇腹状の折れ皺が出来て互いに重ならなくなり、折れ乱れや割れ乱れをきたしてしまう。１０ｃｍほどもあった布幅も折れ皺が複数箇所に出来るために５〜６ｃｍほどの幅に狭まってしまい、洗濯乾燥時の縮み等にもより、終いには股間が割れたままの状態となってしまう。【０００４】  また開け口となる幅広の二枚重ねの布地は和服の襟地のようでもあり通常歩行に不向きな形状となるため、股擦れを発症させてしまう。腹部・下腹部・股間部・尾骨部・腰部等々へ当てがう布地は各所ごとに違った形態であるべきかと思う。股割れを防ぐためだけに１０ｃｍほどに拡幅された偏平な布地の状態は機械器具的な発想である為か、はなはだ装着感を損なう。下半身への違和感は温度変化としても伝わって来る。従来の股間全開式下着の構造は背腰を厚く覆う観念にも欠ける。【０００５】  今日までに考案・開発され、又はされようとしてきた股間全開式下着の多くのものは密封保温性を考慮することなく考え出されたかのようだ。作りやすさやコスト等々の生産性を上げる為の単純化をするのは良いことであるが製造されたものが心地のよいものとして普及・愛用されなければ意味が無い。【０００６】  それらに密封保温性を保持させようとする場合ではファスナーやマジックテープやホック釦などでその全開となる部分を閉じる方法がオプションとして講じられてはいるが、作りやすさやコスト等々の生産性を上げる為なのか斜視図等を見るかぎりでは、それらの閉鎖機能が無いものとして描かれている。幅１０ｃｍほどの開け口専用の布地か又はその布しろが身体の中央部でピタリと合わない場合は背腰を冷やしてしまい下半身全体の体温低下を招いてしまう。就寝時においての、それら股間全開式下着の形状は不健康の元ともなる。【０００７】  ファスナーやマジックテープやホック釦などでその全開となる部分を閉じる方法を講じた場合の不都合はやはり二枚の布面とは異なる異物感を尾底骨部や陰部へ感じてしまうことが第一に上げられる。ファスナーの場合は故障時においての不作動や、まれには陰毛噛みや肉噛みなども起こすので肌着には不適切となる。マジックテープにおいてはその厚み幅などの要素がファスナー以上となるため、やはり異物的な感触となる。またテープの合わせ目も見えにくいため、合わせにくく、斜めに合ったり、前後左右に微妙にずれたり、合わせムラが出来たために変な皺が生地におよんでしまうなどの不具合が生じる。古くなれば接着力も衰える。��た、トイレの中でベリベリとした音を立てるのが厭という御仁もいる。ホック釦ではその係留具を大きな股間全開式下着の開け口の適所へ設けなければならず、少なくとも６〜７箇のホック釦が必要となる。その一つひとつをパチ、パチ、と合わせるのも厄介となり、釦口の開いた部分や皿裏が尾底骨部や陰部へ並んでしまうのも違和感や着心地などへの影響をおよぼす。【０００８】  股間全開式下着の多くは前後左右の身頃および開け口となる繊維を伸縮性のある布地で構成してそれらの繊維の収縮力を利用して股間の密封性を保持させようとする記述も［特開平８−３５１０２］あるいは、［特開２００１−２７１２０９］などで覧られた。［特開２０００−３０３２０３］ではメリヤス編み機で筒編する記述があった。しかし股間部を締め付けないトランクス派や素木綿派においてはそのような下半身用下着は窮屈であり着用感が悪いために至極嫌う。たとえＴシャツ地のような伸縮性のある生地を使用して前後左右の身頃および開け口を構成しても永年の径年変化でゆるんでしまう。また、洗濯乾燥機等の外力によってもそれらの伸縮性を利用した閉鎖機能は変化してしまう。股間全開式下着の構成は伸縮性の生地以外の素材でも形作られなければならず、またトランクスのようなゆったりとした仕立てとなっても股間部間の布地どうしの密着・密封性が保持される形態とならなければならない。
【考案の目的】
【０００９】本考案の「股間よじ分け開口形式の下着」の考案目的は航空宇宙・軍事・警察・消防・山岳救助等々の非常時下の現場や建設作業・冬季スポーツ・医療等々の現場や日常生活をいとなむ市民の間でもっぱらに使用されることを考慮している。騎馬や自転車にまたがり乗るような健常者が常用使用しても心地のよいものは一部の要介護者やごく一部の障害者等にとっても心地のよいものとなる。また［産業上の利用可能性−００２７］で記述した新たな排便排尿習慣へのゆるやかな変化へいざなう期待もされる。
【課題を解決するための手段】
【００１０】  折れ乱れや割れ乱れが少なくファスナーやマジックテープやホック釦に頼らず密着・密封保温性が保たれ、股間部を締め付けることなく股間全開式下着の機能をほどよく発揮させる新たな形式は図１・図２、そして図７などに図示した股間部底面の布地の重合面積を２０ｃｍ以上に拡幅することが出来る人間の耳形に似た耳様タブ部（以下では単にタブ部と記す。）を具有する「股間よじ分け開口形式の下着」の形状が最良であると判断した。
【００１１】本考案の「股間よじ分け開口形式の下着」を図１、図２を基にして説明をすれば、右脚腰の半身を包みこむ右身頃１１から左内股へ拡張されたタブ付き右股下身頃１２その他を左太股周辺に巻きこませて左臀部をも包みこむ形式の右身頃体となるものに対し、それらと準鏡像的な形態となって相対する左身頃２１を主体とする他の部分が、右身頃体へ覆い被って左身頃体から右内股方向へ拡張されるタブ部・その他が右太股を覆う布地へさらに覆い被り右臀部を覆う布地の上をもさらに覆い被って、それらを呑みこむように左右の身頃体の股間部等々がＵ字形や逆Ｖ字形に絡み合った重合部や鉤様に噛み合った部分を構成して半固定化される構造となる。
【００１２】  図１で見るとタブ付き左股下身頃２２のタブ部が股間で宙ぶらの格好となるがその上からズボン又はパンツを上着として着用すれば宙ぶらとなる部分の密着性が保たれ、タブ付き右股下身頃１２とは内側と外側の違いとなるのだが、左太股と右太股の温度分布はほぼ同じとなる。図２でみられる左後外身頃２３も宙ぶらの感じとなるが、立体縫い糸線８３によって臀部の丸みへ密着する形状となるので布地間の摩擦等により圧着されて保温性が保たれる。
【００１３】  排尿排便時では［作用−００１７］で記述したような三段階の開口が可能となるが図３で図示したような左右の後部身頃地等々が奥深い位置から交互に絡み合ってはいるが生地の伸縮性ゆえに、そしてゴム線収縮部９１の余剰伸縮、あるいは過剰な伸縮余剰によって特大な開口部９２を手繰り出すことが出来る。その状態に到ってタブ付き右股下身頃１２とタブ付き左股下身頃２２を始めとする他の身頃が股間部の重合や噛み合いから分離される。そしてそれらの分離を元の状態に戻す時には和服の襟地を体内へたくし込む要領で取り込み馴染ませる。
【００１４】  図５の一点鎖線で描かれた布形は通常のズボン下のものだが実線で描かれた「股間よじ分け開口形式の下着」の布形である左身頃２１は股間部や太股を締め付けないゆったりとした身幅となっている。それによって合わせ直しが楽に出来る。そのゆったりとした身幅の作りが、また、重要な構成要素となる。股間の部分が従来のタイツのようにピッタリとしたズボン下であれば合わせ直しが厄介になり、騎馬や自転車にまたがり乗る動作をすれば股間の布地は引きつられて伸びきってしまい、股を閉じた時には折れ乱れた皺となってしまう。折れ乱れて皺となった左右のタブ部の緊張をゆるめて地球の引力のままに下方へ降ろすためには、ゆったりとした身幅に加えて股間部周辺の空間がもう少し必要になる。その為、その上部へタック切りこみ８４を設定して更にゆったりとした空間を保たせている。そのことは股間開口時の生地に無理が懸からぬようにも配慮する為、また大股開きの姿勢となっても股間開口部間への緊張を少なくさせる配慮も併せ持たせている。
【００１５】  右身頃１１と左身頃２１の重合する股間部は、図８のトランクスの前身頃のように股間部の前面が切り込まれた形となる。その左右の前身頃の前面が逆Ｖ字の谷形や山形となることが従来の股間全開式下着では見られなかった「股間よじ分け開口形式の下着」の顕著な特徴となり、その股間全体が留め具的な役割をする。その逆Ｖ字形となる股間部の各々の身頃を互いに重合させ歯車の歯のように噛み合わせることにより、布地同士をロッキングさせたかのような結束感を保たせることが出来る。逆Ｖ字の角度がより鋭角となり、タブ部が長めになれば成るほどに結束感は強まる。そして股間部の空間が適度に空いて保たれるほど左右のタブ部は折れ乱れが減少して下方へ降り、その為なお一層の結束感が増し割離限界が高まる。図７右側のブリーフの場合は同じく「股間よじ分け開口形式の下着」となるが上記のズボン下とは構成や機能が異なるために逆Ｖ字の切れ込みや股間部間の隙間がまったく無いタイトな仕上がりとなる布形に描いている。ブリーフあるいはショーツの場合は太股やふくらはぎにおよんでいる布地のつっ張りによる影響が股間生地へ及ばないため、ズボン下形の股間全開式下着ほどの不具合が発生しない。そのため通常のブリーフの股間部と臀部の部分を変則的に重合させただけの構造に描いてはいるが、男性シンボルをイメージする小形タブ９５を具有させた。その部分は通常の立ち小便時の小開口で股間下の重合部が、不用意に割れないよう股間と太股の間にタブ部が挟まれて、その一部が谷折りとなって噛み込まれ、股割れを防止する役目をする。そして、その小耳様のタブ部は股間開閉時の手繰り子としての機能も併せ持つ。ブリーフにおいては股間部の凸凹と小形タブ９５によって充分な結束感が得られ、留め具的な役割も果たされる。
【００１６】  「股間よじ分け開口形式の下着」は身体の中央部分で下着を二枚着用したような感覚となるが第二次大戦下のドイツ国防軍では冬期用のアンダーシャツや靴下やズボン下や二指ミトンが支給されてもブリーフ・トランクスの類は支給されず、その事態は上級将校や下士官であっても同じであった。と、いうことはドイツではズボン下を着用するときには平常時であってもブリーフ・トランクス類を着用しないのかも知れぬ。故に股間開口時に至極、厄介となる下着の下の下着は無くてもよく「股間よじ分け開口形式の下着」はブリーフ・トランクス類を省略することで快適となる。夏期においての本考案形式のブリーフ・トランクスであれば二枚重ねとなる部分が股間の汗の吸収と発散を容易にしてくれる。それゆえ「股間よじ分け開口形式の下着」は密着・密封性に加えて四季を通じての吸湿・保温性を得る事となる。
【作用】
【００１７】本考案の「股間よじ分け開口形式の下着」は三段階の股間の開口が可能で第一段階での開口は通常の立ち小便位での股間前方のみの開口が可能となる。第二段階の開口は着座位では苦しかった男子の下着を着用したままの小便が股間部下を交差しているタブ部を真下へよじ分け開けるだけで可能となる。第三段階の開口は股間部下へ開いた開口部の交差をさらに臀部の四半球部へ捩じ分け捲る動作を行うことにより排便することが可能となる。
【００１８】  それらの行為を行うためには［特開２００２−１０５７１７］で開示された股間の開閉を後部ベルト位置までファスナーで行えるズボン又はパンツの同時実用化が望まれる。ズボン又はパンツは下半身用の上着となるので美しくなければならず、開口部は二本筋の丘か布蓋となるファスナー式の開口部を持つものが理想的となる。そのズボン又はパンツに開口部を下着もろともに保持するフック状の鉤がアクセサリーとして付属すれば、ズボン又はパンツとともに下着を脱がずに着座したまま、あるいはしゃがんだままの排便や排尿が、より行い易くなる。
【考案を実施するための最良の形態】
【００１９】本考案の実施例はズボン下形のものとトランクス形のものとブリーフ形のものとの三例がある。まず図１に代表されるズボン下形の「股間よじ分け開口形式の下着」の仕立てを主にして説明をすると、図１・図２の如くに右身頃１１とタブ付き右股下身頃１２と右後内身頃１３の各部を左身頃２１とタブ付き左股下身頃２２と左後外身頃２３の各部がそれらの変形辺面部を呑み込んだ形態となってゴム線収縮部９１の部分と、その他の部分８１と８２の各々の縫着糸線で縫着され一着化される。（上に書き並べた右側の身頃と左側の身頃を左右ごとに纏めて一体化させた立体物を以下では右巾、そして左巾と呼ぶことにする。右巾と左巾のズボン下形の下着の裾口には各々に伸縮帯１４と２４が縫着される。）前面左右身頃縫着糸線８１と後面左右身頃縫着糸線８２は洗濯機内の水流や水切りに抗して破損分裂を防ぐために開口部を低めに出来る前面側では下方へ長めになるよう設定し、後面側ではブルージーンズふうの幅広の縫着糸線としてデザイン設定した。それらは図７の前面図を省略したトランクスや後面図を省略したブリーフへも類似した形状で縫込み設定される。また、それらの縫着糸線の部分へは補強布地を加えてもよく糸目を多くするのもよい。【００２０】  図５は寸法や縫しろ、その他が省略されて描かれたズボン下形式の下着の左方だけの布形図となる。右方の布形図もほぼ同形同寸法の準鏡像図となる。そのことは図８・図９に描かれたトランクス及びブリーフの布形図でも一部分を除いて同様となる。（「股間よじ分け開口形式の下着」の内側となる側の股下寸法等は微妙に縮小させる。）図５の左上の左後外身頃２３は左身頃２１の布地から採り切れない心配があるために図中では分離させた。左後外身頃２３の右側の楔様の切れ目は立体曲線縫をして臀部の湾曲へ密着させたい為の切れ目となる。それと同様の切れ目は図８と図９の中の各図の右側に描かれた身頃の右部分へも施してあって同じ役割をする。（各図中の楔様の切れ目は一箇所に限らず様々な長さや角度の曲線で複数箇所に刻まれることもある。）【００２１】  図５左下の奇妙な形のものは股間よじ分け開口形式の下着」の眼目ともなる左身側のタブ付き左股下身頃２２の布形となる。タブの部分は右身側の太股の付け根へ貼りつくような曲面と成るための切り込みが入れられている。山折り線９４の如くに軽く折ってタブ以外の各辺を左身頃２１と左後外身頃２３へ縫い付けるとタブ部で最大に尖ったａ辺が動物の角のように上向く。その部分を右身側へ曲げると左身頃のｂ辺へピタリとａ辺が合う状態となって縫い合わされる。左巾となる各々の身頃の縫い合わせ概念図は図６の如くになる。準鏡像的となる右巾も同様の縫い合わせに仕立てて、その変形辺面部を左巾の内側へ呑み込ませて左右の各々のタブ付き股下身頃の逆Ｖ字となる部分を噛み合わせ、ゴム線収縮部９１及び前後左右の身頃の縫着糸線８１と８２で縫着して一着化させる。【００２２】  図４は本考案の股間よじ分け開口形式のズボン下形下着のタブ定位置と運動姿勢変化図云々となるが左側の図は直立しているときのタブの位置が約２０°の角度で斜め下向きとなっていることを示すものと太股が高く上がったときのタブ位置を示す。右側の図は���子などに着座したときのタブ位置となる。左右の図は太股の運動や姿勢の変化によってタブの位置が尻下に残って違和感や着座感を損ねぬよう太股に追従する形態で添い従うことを示す。図５左下のタブ付き左股下身頃２２の独特の形状はタブが斜め下向きの角度で仕上がる為のもので、しかも人体の左右の座骨部の真下となる部分の布地の面積を小さくして折れ乱れの発生が少なくなる計らいをしている。左右の股下身頃のタブ部は左右の太股の内側斜面へ軽く乗るような曲面形状となり、摩擦も保たれる為、図４の各図のタブ位置の如くに折れ乱れの少ないまま太股の動きに添い従う事となる。（大腿が屈曲した状態でタブ面が太股の下方へ位置してしまうのは股関節部が陰部等よりも上に位置すること等による。）ズボン下形式の「股間よじ分け開口形式の下着」のタブに限っては左右のタブ面かその縁の部分へは硬めで重めの素材を縫い足すことでも良い効果が得られると思う。【００２３】  図７はトランクス形（左側）とブリーフ形（右側）の「股間よじ分け開口形式の下着」の後面図と前面図となる。各々の前面図と後面図は類似図過多で繁雑となる為に省略したがそれらの各図はズボン下形やブリーフ形の前面図、あるいはズボン下形やトランクス形の後面図に類似した形態となる。それらの省略した前面図と後面図は図８および図９の各々に左巾となる布形図の前面と後面の部分の曲線を見てイメージされたい。図８・図９の中の細斜線部と斜線部と縦線部は太い矢印線で連結されたそれらと同じ形式の斜線の部分へ縫着されることを示す。トランクスの右巾とブリーフの一部分を除く右巾の部分も準鏡像的かつ左右対称形的な寸法で裁断・縫着されて、その変形辺面部が左巾に呑み込まれる状態で股間部が噛み合わされ、ゴム線収縮部９１と前面と後面の左右身頃縫着糸線８１と８２によって縫着・半固定化されて一着化される。
【実施例１】
【００２４】  トランクス形の「股間よじ分け開口形式の下着」はブリーフと同様に太股やふくらはぎに及んでいる布地のつっ張りが股間の布地へ緊張を伝えにくい為、ズボン下形のタブ部よりも短めとなって左用股下身頃２７と収縮部付き左後身頃２６と一体化される奥行き方向に幅広のタブ部となっている。が、右巾の裾口の縁付け部の線よりも少し上へ位置するようになっており、重合部のだぶつき感や裾口の違和感を減殺する工夫をしている。そのことは左巾の内側へ呑み込まれている（やはり奥行き方向に幅広い）タブ部も同様の短さで位置することになっている。左用股下身頃２７は四辺形の布形となっているが前端部は逆Ｖ字に折った状態となり後端部へ奥まるほど鈍角な「へ」の字の状態となって収縮部付き左後身頃２６へ縫着される。その身頃は伸ばされた平ゴム等が縫着されて縮められる為、右端が少々末広がりとなる形状に描かれて左用股下身頃２７に縫着される部分の辺が斜めに傾いているが、立体縫い糸線８３と平ゴム等の収縮によって、ほぼ水平に保たれて縫着される。なぜトランクスに限って収縮部が必要かといえば通常のトランクスでは伸縮性の生地を使わない為、平ゴム等の収縮部が必要となる。また本考案のトランクスでは仕上がりサイズがタイトとならないような仕立ての配慮が必要で、仕上がりサイズをルーズな設定にすれば襞による生地の余剰が多くなり、平ゴム等の収縮部が不要となる。そして、その襞の余剰を収縮させる為のゴム線収縮部９１（または帯状のゴム収縮部）の伸縮も過剰化させる必要がある。
【実施例２】
【００２５】  ブリーフ形の「股間よじ分け開口形式の下着」は左巾側の股下の布地の左右幅が右巾側のものよりも全幅にして２０ｍｍ〜２８ｍｍほど狭く仕上がるような布形図を描くこととし、右巾と左右対称形的でほぼ同寸法となる左巾の他の部分へ自然なラインで繋がる左前身頃２８と左後身頃２９の布形を作ることとする。そのような形態をとることにより、二枚重ねとなって強調される股間布地縁による食い込みや股擦れの防止をするとともに折り返し縫い部あるいは縁付け部が重なり合って違和感やだぶつき感等とならぬような配慮をする。また立体縫い糸線８３へと続いていく曲線の左右の後身頃の折り返し縫い部、あるいは縁付け部等も右巾と左巾の裾口となる縁付け部等へは重ねぬよう、図７中の右後身頃１９の如くに裾口から１５ｍｍ〜２０ｍｍほどの間隔が開くようなカットにする。（図９の布形では右後身頃１９と左後身頃２９の縁の部分が図７のブリーフの股間後ろ右わきの如くに必然的に重なってしまうが、その部分では重ねずに、右上の後部裾口で互いの縁の部分が交差して重なる布形を描くことも出来る。）以上の仕立ては前面と後面の左右身頃縫着糸線８１と８２によって半固定化されて保たれる。
【実施例３】
【００２６】  図７のブリーフに関してもっと斬新なデザインをするならば左前身頃２８の裾口の曲線を右前身頃１８とは少し違った曲線に切ってしまい、右巾側の小形タブ９５がもう少し覗き見えるラインに切り取ってしまう。そうなれば右巾側のタブ部の露出が多くなり結束感が強まる。また、そのことによって鼠径部へのタブの圧着が緩くなる為、股擦れの心配も無くなる。小形タブ９５はその位置や大きさや縁の有り無しや素材などを少しずつ変えてみることもよい。一例をたとえればタブ部と他の縁付け部へ身頃生地とは色違いの素材を使うことによってショーツとの違いが一目で判り、店頭でのディスプレイ効果が高まる・云々となり、他にも幾例かのバリエーションが発生する。
【産業上の利用可能性】
【００２７】本考案は服装史を一歩前進させ、男子の立ち小便習俗や朝顔便器のある便所の在り方までをも変革する小さな改革品となる期待がもたれる。民生品に関しては本考案の「股間よじ分け開口形式の下着」の普及によってズボン又はパンツを着用したまま便器に屈脚あるいは腰掛けて排尿排便が出来るようになり、そのような習俗・習慣への移行により、ズリ下ろされたズボン又はパンツが便器の前端や床に接触あるいは脱落して汚れることが無くなり、小便の飛沫が便器や床あるいは自己のズボン又はパンツを汚すことが無くなる。そしてそれらに係わる洗濯・清掃の電気・水・人件費等々の経費節減が見込まれる。非常時の現場として落下傘降下部隊での制式採用があれば、パラトルーパー等の愛称で男達が恥じらいなく着用する。「股間よじ分け開口形式の下着」は下着の範疇を越えてズボン又はパンツへも及び、今後は男女差の少ない汎用開口形式となった下半身用衣類の一形態として発展してゆく可能性もある。
【図面の簡単な説明】
【００２８】
【図１】本考案の股間よじ分け開口形式のズボン下形下着の前面図である。
【図２】本考案の股間よじ分け開口形式のズボン下形下着の後面図である。
【図３】本考案の股間よじ分け開口形式のズボン下形下着の後面開口図である。
【図４】本考案の股間よじ分け開口形式のズボン下形下着のタブ定位置と運動姿勢変化図である。
【図５】本考案の股間よじ分け開口形式のズボン下形下着の布形図である。
【図６】本考案の股間よじ分け開口形式のズボン下形下着の縫い合わせ概念図である。
【図７】本考案の股間よじ分け開口形式のトランクス形下着の後面図（左）とブリーフ形下着の前面図（右）である。
【図８】本考案の股間よじ分け開口形式のトランクス形下着の布形図である。
【図９】本考案の股間よじ分け開口形式のブリーフ形下着の布形図である。
【符号の説明】
【００２９】    １１  右身頃
１２  タブ付き右股下身頃
１３  右後内身頃
１６  収縮部付き右後身頃
１８  右前身頃
１９  右後身頃
２１  左身頃
２２  タブ付き左股下身頃
２３  左後外身頃
２４  伸縮帯
２５  左前身頃
２６  収縮部付き左後身頃
２７  左用股下身頃
２８  左前身頃
２９  左後身頃
８１  前面左右身頃縫着糸線
８２  後面左右身頃縫着糸線
８３  立体縫い糸線
８４  タック切りこみ
８５  収縮部
９１  ゴム線収縮部
９２  開口部
９３  通常のズボン下左身頃布形
９４  山折り線
９５  小形タブ
ａ  タブ角部の斜線部
ｂ  左身頃端の斜線部
ｆ  前面
【手続補正５】
【補正対象書類名】図面
【補正対象項目名】図２
【補正方法】変更
【補正の内容】
【図２】
0003118992.tif 000012
【手続補正６】
【補正対象書類名】図面
【補正対象項目名】図３
【補正方法】変更
【補正の内容】
【図３】
0003118992.tif 000013
【手続補正７】
【補正対象書類名】図面
【補正対象項目名】図７
【補正方法】変更
【補正の内容】
【図７】
0003118992.tif 000014
【手続補正８】
【補正対象書類名】図面
【補正対象項目名】図９
【補正方法】変更
【補正の内容】
【図９】
0003118992.tif 000015